(57)【特許請求の範囲】
【請求項１】
容器本体に被着される本体キャップと、本体キャップに螺着される計量キャップとを有し、本体キャップが備える液溜まり部の底部に注出筒を立上げるとともに、該底部に液戻し部を備えてなるキャップ付容器であって、
注出筒の外面に、計量キャップの内面の付着液を掻き取る掻き取り部を設けてなり、
掻き取り部は液戻し部から見て計量キャップの本体キャップへの螺動進み方向の前方に位置する該液戻し部の縁に隣接して設けられるキャップ付容器。
【請求項２】
前記計量キャップの内面に、前記掻き取り部を弾性変形させて乗り越えできる突部を備えてなる請求項１記載のキャップ付容器。
【発明の詳細な説明】
【０００１】
【発明の属する技術分野】
本発明はキャップ付容器に関する。
【０００２】
【従来の技術】
洗剤等のためのキャップ付容器として、容器本体に被着される本体キャップと、本体キャップに螺着される計量キャップとを有し、本体キャップが備える液溜まり部の底部に注出筒を立上げるとともに、該底部に液戻し部を備えてなるものがある。
【０００３】
【発明が解決しようとする課題】
本体キャップの注出筒から注出される液体を計量キャップで計量した使用後、該計量キャップは内面に液体を付着させたまま本体キャップに螺着される。計量キャップの内面に付着した液体は、該計量キャップの内面に残留し続け、又は本体キャップの液溜まり部との境界部付近に残留する。このため、次回使用時に、計量キャップの内面や本体キャップの液溜まり部から液体の垂れ落ちを生じ、周辺汚損する。
【０００４】
本発明の課題は、計量キャップの内面や本体キャップの液溜まり部からの液体の垂れ落ちを回避することにある。
【０００５】
【課題を解決するための手段】
請求項１に記載の本発明は、容器本体に被着される本体キャップと、本体キャップに螺着される計量キャップとを有し、本体キャップが備える液溜まり部の底部に注出筒を立上げるとともに、該底部に液戻し部を備えてなるキャップ付容器であって、注出筒の外面に、計量キャップの内面の付着液を掻き取る掻き取り部を設けてなり、掻き取り部は液戻し部から見て計量キャップの本体キャップへの螺動進み方向の前方に位置する該液戻し部の縁に隣接して設けられるようにしたものである。
【０００６】
【発明の実施の形態】
（第１実施形態）
図１、図２は、容器１０の容器本体１１の口部１２に、キャップ２０を装着したものであり、キャップ２０を本体キャップ２１と計量キャップ３１の組合せからなるものとした。
【０００７】
本体キャップ２１は、図１に示す如く、容器本体１１の口部１２に打ち込み又は、螺合、ねじ込み係着される外筒部２２の上端側外周に計量キャップ３１のねじ部３１Ａが螺着するねじ部２１Ａを備えるとともに、外筒部２２の内周に連続する内筒部２３を備え、外筒部２２と内筒部２３の内部に液溜まり部２４を形成している。本体キャップ２１は、液溜まり部２４の傾斜状底部２５に設けた開口２６の縁に沿うＣ字断面状の注出筒２７を立上げ、注出筒２７のＣ字の切り口をスリット２７Ａとしている。液戻し部２６Ａは、液溜まり部２４の底部２５の最下部に設けた、開口２６とスリット２７Ａに連なるスリットである。本体キャップ２１のスリット２６Ａ、２７Ａは、本発明の液戻し部を構成し、注出筒２７からの注出後に注出筒２７の縁から垂れ落ちて液溜まり部２４に受け止められた液体を容器本体１１に戻す通路を形成する。この液戻し部は、液溜まり部２４の底部２５の最下部に設けた孔であっても良い。
【０００８】
本体キャップ２１は、注出筒２７の外面に、計量キャップ３１の計量部３２の内面の付着液を掻き取るように、該計量部３２の内面に近接もしくは摺接し得る片状の掻き取り部２８を備える。計量キャップ３１が本体キャップ２１に螺着される回転運動時に、本体キャップ２１の掻き取り部２８が計量部３２の内面の付着液を掻き取る。掻き取り部２８は、注出筒２７の周方向に複数枚設けても良いが、本実施形態では１枚だけ設け、スリット２６Ａ、２７Ａに対する計量キャップ３１の螺動による計量部３２の内面の付着液が掻き取られて、スリット２６Ａへ流れ込める位置に設ける。また、本実施形態の掻き取り部２８は液溜まり部２４の底部２５から立上げたが、掻き取り部２８は底部２５との間に液通過空間を開けるものであっても良い。
【０００９】
計量キャップ３１は、計量部３２の外周中間部に連続する外筒部３３に前述のねじ部３１Ａを備え、本体キャップ２１に螺着された状態で容器本体１１を封止し、本体キャップ２１から取外された状態で、本体キャップ２１の注出筒２７から注出される容器本体１１の内溶液を受入れて計量可能とする。
【００１０】
従って、本実施形態によれば、以下の作用がある。
▲１▼使用後の計量キャップ３１を本体キャップ２１に螺着するように、図２のＡ方向に回転運動せしめるとき、本体キャップ２１の注出筒２７の外面に設けてある掻き取り部２８が、計量キャップ３１の内面の付着液を掻き取る。これにより、計量キャップ３１の内面に付着した液体は、流動化せしめられて計量キャップ３１の内面から、本体キャップ２１の液溜まり部２４を流れ、ひいては該液溜まり部２４の底部２５のスリット２６Ａ、２７Ａ（液戻し部）から容器本体１１に戻される。従って、計量キャップ３１の内面にも、本体キャップ２１の液溜まり部２４にも液体の残留がなく、次回使用時の液体の垂れ落ちを回避できる。
【００１１】
▲２▼注出筒２７に設ける掻き取り部２８は、スリット２６Ａ、２７Ａ（液戻し部）に対し、計量キャップ３１の螺動進み方向のすぐ前方に設けることにより、掻き取り部２８により掻き取って流動化せしめた液体を短い経路で確実にスリット２６Ａ、２７Ａに流すことができる。
【００１２】
（第２実施形態）
第２実施形態が第１実施形態と異なる点は、計量キャップ３１の計量部３２の内面に、本体キャップ２１の掻き取り部２８を弾性変形させて乗り越えできる、計量線表示用の突部３４を備えたことにある。突部３４は計量部３２の内面に１本備えるものでも良いが、計量部３２の内面に周方向に間隔をおいて複数本備え、計量部３２の底面からのそれらの高さを互いに異にし、それらの高さによって液量を表示するものであっても良い。
【００１３】
従って、本実施形態によれば、以下の作用がある。
▲１▼計量キャップ３１を本体キャップ２１に螺着する最終段階で、計量キャップ３１の内面の突部３４が本体キャップ２１の掻き取り部２８を乗り越えることにより、キャップ閉じ操作の節度感を得ることができ、同時に、掻き取り部２８に捕捉された液体を振るい払ってその流動化を促進できる。また、キャップ閉じ状態のゆるみ止めにもなる。
【００１４】
▲２▼計量キャップ３１の内面の突部３４は、計量線表示用の線状突部を利用できる。但し、この突部３４は計量線表示に兼用することを要さず、また計量部３２の高さ方向に沿って長尺状をなすことなく高さ方向の任意の位置に短尺状、点状に設けられるものであっても良い。
【００１５】
尚、本発明において、掻き取り部は、注出筒と一体成形、別部品の装着のいずれでも良い。
【００１６】
【発明の効果】
以上のように本発明によれば、計量キャップの内面や本体キャップの液溜まり部からの液体の垂れ落ちを回避できる。
【図面の簡単な説明】
【図１】図１は第１実施形態のキャップ付容器を示す断面図である。
【図２】図２は図１の本体キャップの平面図である。
【図３】図３は第２実施形態のキャップ付容器を示す断面図である。
【図４】図４は図３の本体キャップの平面図である。
【符号の説明】
１０  キャップ付容器
２０  キャップ
２１  本体キャップ
２４  液溜まり部
２５  底部
２６Ａ  スリット（液戻し部）
２７  注出筒
２７Ａ  スリット（液戻し部）
２８  掻き取り部
３１  計量キャップ
３４  突部
【図１】
0004481409.tif 000002
【図２】
0004481409.tif 000003
【図３】
0004481409.tif 000004
【図４】
0004481409.tif 000005